(57)【特許請求の範囲】
【請求項１】
光駆動器における記録パワー制御方法において、
電圧チャンネルは、
記録用ＡＰＣ回路を介してＬＤドライバに電圧を供給する記録チャンネルと、
再生用ＡＰＣ回路を介してＬＤドライバに電圧を供給する再生チャンネルと、
過駆動パワー用電圧を直接ＬＤドライバに供給する電圧チャンネルと、
記録パワー電圧の所定比率に該当する電圧を直接ＬＤドライバに供給する電圧チャンネルからなるものとし、
前記光駆動器に備わっているレーザーダイオードに提供される記録パワーが安定化状態であるかどうかをチェックする段階と、
前記記録パワーが非安定化状態であれば、前記記録パワーが安定化状態の時より前記光駆動器の制御部で、
記録用ＡＰＣ回路を介してＬＤドライバに電圧を供給する記録チャンネルに加えて、少なくとも、記録パワー電圧の所定比率に該当する電圧を直接ＬＤドライバに供給する電圧チャンネルを含むように、前記記録パワーを制御するための電圧チャンネル数を増やして前記記録パワーを制御する第１制御段階と、
前記記録パワーが安定化状態であれば、前記記録パワーが非安定化状態の時より前記光駆動器の制御部で前記電圧チャンネル数を減らして前記記録パワーを制御する第２制御段階とを含み、
前記記録パワー制御方法は、前記光駆動器でエラーが発生して記録モードが中断された後、再び記録モードが制御される時にも行われる記録パワー制御方法。
【請求項２】
前記記録パワーが安定化状態であるかどうかをチェックする段階は、前記光駆動器に備わって前記レーザーダイオードの光放射をモニタリングするフォトダイオードの出力を所定区間でサンプリング及びホールドした信号を利用して行われることを特徴とする請求項１に記載の記録パワー制御方法。
【請求項３】
前記第２制御段階は、前記制御部に備わっている電圧チャンネルのうち記録パワー電圧の所定比率に該当する電圧を提供するチャンネルをオフさせて、使われるチャンネル数を前記第１制御段階で使われたチャンネル数より減らすことを特徴とする請求項１に記載の記録パワー制御方法。
【発明の詳細な説明】
【０００１】
【発明が属する技術分野】
本発明は光駆動器における記録パワー制御方法及び装置に係り、特に、記録モード遂行時にレーザーダイオード（Ｌａｓｅｒ Ｄｉｏｄｅ、以下ＬＤと略する）を駆動するために使われるチャンネル数を最適化して記録パワーを制御する方法及び装置に関する。
【０００２】
【従来の技術】
光駆動器はＣＤまたはＤＶＤのようなディスクにデータを記録したり、ディスクに記録されたデータを再生したりするものである。このような光駆動器は記録モードを行う時にバッファアンダラン（Ｂｕｆｆｅｒ Ｕｎｄｅｒ Ｒｕｎ）などの非常事態が発生すれば記録を中断させて正常的にデータを記録できない。したがって、記録モードを行う時、非常事態が発生しても正常的にデータを記録できるように、記録が中断された位置で再記録を行える技術が提案されている。
【０００３】
しかし、記録モードが制御された後、ＡＰＣ（Ａｕｔｏ ｌａｓｅｒ ｄｉｏｄｅ Ｐｏｗｅｒ Ｃｏｎｔｒｏｌ、以下ＡＰＣと略する）回路から出力されるパワー電圧が安定したレベルに到達するまである程度時間がかかる。したがって、データの記録が中断された位置でデータの記録を再び試みる場合に、ＡＰＣ回路から出力されるパワー電圧が安定したレベルに到達する前に記録データが発生して正常的なデータ記録を妨害するので、データが損失される。
このような問題を解決するために、従来、記録モードが制御された後、ＡＰＣ回路から出力されるパワー電圧に所定の電圧をあらかじめ加えて記録パワーの電圧を記録モードの初期段階で安定化させる技術が提案されたことがある。前記所定の電圧はＡＰＣ回路から出力されるパワー電圧に対する予想電圧の所定比率に該当する。
【０００４】
しかし、前記提案された技術は前記予想されるパワー電圧の所定比率をＡＰＣ回路から出力されるパワー電圧に加えるために、ＬＤを駆動するために利用されるチャンネルをもう一つ使用せねばならない。したがって、この技術は、記録パワーの電圧を速く安定化させて初期記録モード遂行区間でのデータ損失を防止することはできるが、ＡＰＣ回路から出力される記録パワーのレベルが安定化された後にも不要な前記チャンネルを管理するようになっていて光駆動器内のファームウェア（ｆｉｒｍｗａｒｅ）サイズが大きくなる要因となる。また、前記提案された技術で記録モードを制御する場合に、記録モード遂行区間中に記録パワーの電圧を前記所定比率の電圧より低い値で制御できない。
【０００５】
【発明が解決しようとする課題】
したがって本発明は、光駆動器における記録モード遂行時、記録パワーの電圧レベルを速く安定化させつつレーザーダイオードを駆動するために使われるチャンネル数を最適化して記録パワーを制御する方法及び装置を提供することにその目的がある。
【０００６】
前記目的を達成するために本発明は、光駆動器における記録パワー制御方法において、
電圧チャンネルは、
記録用ＡＰＣ回路を介してＬＤドライバに電圧を供給する記録チャンネルと、
再生用ＡＰＣ回路を介してＬＤドライバに電圧を供給する再生チャンネルと、
過駆動パワー用電圧を直接ＬＤドライバに供給する電圧チャンネルと、
記録パワー電圧の所定比率に該当する電圧を直接ＬＤドライバに供給する電圧チャンネルからなるものとし、
前記光駆動器に備わっているレーザーダイオードに提供される記録パワーが安定化状態であるかどうかをチェックする段階と、
前記記録パワーが非安定化状態であれば、前記記録パワーが安定化状態の時より前記光駆動器の制御部で、
記録用ＡＰＣ回路を介してＬＤドライバに電圧を供給する記録チャンネルに加えて、少なくとも、記録パワー電圧の所定比率に該当する電圧を直接ＬＤドライバに供給する電圧チャンネルを含むように、前記記録パワーを制御するための電圧チャンネル数を増やして前記記録パワーを制御する第１制御段階と、
前記記録パワーが安定化状態であれば、前記記録パワーが非安定化状態の時より前記光駆動器の制御部で前記電圧チャンネル数を減らして前記記録パワーを制御する第２制御段階とを含み、
前記記録パワー制御方法は、前記光駆動器でエラーが発生して記録モードが中断された後、再び記録モードが制御される時にも行われることを特徴とする。
【０００７】
前記記録パワーが安定化状態であるかどうかをチェックする段階は、光駆動器に備わってレーザーダイオードの光放射をモニタリングするフォトダイオード（ＦＰＤ）の出力を所定区間でサンプリング及びホールドした信号を利用して行われることが望ましい。
【０００８】
前記第２制御段階は、前記制御部に備わっている電圧チャンネルのうち記録パワー電圧の所定比率に該当する電圧を提供するチャンネルをオフさせて、使われるチャンネル数を前記第１制御段階で使われたチャンネル数より減らすことを特徴とする。
【００１１】
【発明の実施の形態】
以下、添付した図面を参照して本発明による実施例を詳細に説明する。
図１は本発明の一実施例による記録パワー制御装置のブロック図である。図１を参照すれば、記録パワー制御装置は本発明によってＬＤに記録パワーが提供されるように制御する制御部１０１、記録パワー電圧であるＷＰＤＣ（ＷｒｉｔｅＰｏｗｅｒ Ｄｉｒｅｃｔ Ｃｕｒｒｅｎｔ）を提供する記録チャンネル用ＡＰＣ回路１０２、再生パワー電圧であるＲＰＤＣ（Ｒｅａｄ Ｐｏｗｅｒ Ｄｉｒｅｃｔ Ｃｕｒｒｅｎｔ）を提供する再生チャンネル用ＡＰＣ回路１０３、デジタル／アナログ変換器（以下、ＤＡＣと略する）１０４、ＬＤを駆動するためのＬＤドライバ１０５、Ｉ／Ｖ増幅部１０６、ディスク（図示せず）で光を放射するＬＤ、ＬＤから放射される光量をモニタリングするフロントフォトダイオード（またはモニタフォトダイオードともいう、以下、ＦＰＤと略する）で構成される。
【００１２】
制御部１０１は記録モード遂行時に記録パワーの電圧レベルを早期に安定化させつつＬＤを駆動するために使われるチャンネル数を最適化できるように、光駆動器の機能を制御する。すなわち、制御部１０１は記録チャンネル用ＡＰＣ回路１０２から出力される記録パワーの電圧レベルを非安定化状態と安定化状態とに区分し、非安定化状態の時に記録パワーを制御するために使われるチャンネル数を、安定化状態の時に記録パワーを制御するために使われるチャンネル数より多く管理しつつＬＤを駆動するための記録パワーの電圧を制御する。記録チャンネル用ＡＰＣ回路１０２から出力される記録パワーの電圧レベルが非安定化状態であるということは、ＬＤの光出力レベルが記録モードを行うのに適していない非安定化状態であるということを意味する。記録チャンネル用ＡＰＣ回路１０２から出力される記録パワーの電圧レベルが安定化状態であるということは、ＬＤの光出力レベルが記録モードを行うのに適した安定化状態であるということを意味する。
【００１３】
バッファアンダランなどのエラーでデータ記録が中断された後で記録モードが制御される場合、記録チャンネル用ＡＰＣ回路１０２から伝送されるサンプリング及びホールドしたＦＰＤの出力（Ｆｒｏｎｔ Ｐｈｏｔｏ Ｄｉｏｄｅ Ｏｕｔｐｕｔ、以下、ＦＰＤＯ＿ＳＨと略する）信号により記録チャンネル用ＡＰＣ回路１０２から出力される記録パワーの電圧レベルが非安定化状態であると認識されれば、制御部１０１は記録チャンネル用ＡＰＣ回路１０２と再生チャンネル用ＡＰＣ回路１０３に対する基準電圧と過駆動パワー（Ｏｖｅｒ−ｄｒｉｖｅ Ｐｏｗｅｒ）用電圧及び予想される記録パワー電圧の所定比率に該当する電圧とを各々出力する。
【００１４】
前記予想される記録パワー電圧の所定比率に該当する電圧はＡＰＣのための記録パワー用電圧ともいう。前記所定比率は予想される記録パワー電圧の８０％ないし９０％の範囲で決定できるが、本実施例の制御部１０１は予想される記録パワー電圧の８０％に該当する電圧を出力する。前記所定比率の範囲は他のチャンネルを通じて提供される記録パワー電圧と予想される記録パワー電圧との関係とＬＤの光出力状態が安定化する時期を考慮して決定された範囲であるが、光駆動器の動作条件によって変更できる。
【００１５】
これによりデジタル／アナログ変換器（以下、ＤＡＣと略する）１０４はＤＡ１チャンネルを通じて再生チャンネル用ＡＰＣ回路１０３に対する基準電圧を出力し、ＤＡ２チャンネルを通じて記録チャンネル用ＡＰＣ回路１０２に対する基準電圧を出力し、ＤＡ３チャンネルを通じて過駆動パワー用電圧を出力し、ＤＡ４チャンネルを通じて予想される記録パワー電圧の所定比率に該当する電圧を出力する。ＤＡ３チャンネル及びＤＡ４チャンネルに出力される記録パワーの電圧は各々ＬＤドライバ１０５に直接伝送される。
【００１６】
このように記録チャンネル用ＡＰＣ回路１０２から出力される記録パワーの電圧レベルが非安定化状態である時、ＤＡＣ１０４のＤＡ１、ＤＡ２、ＤＡ３、ＤＡ４チャンネルを通じて前記電圧が出力されるように制御部１０１はＤＡ１ないしＤＡ４チャンネルを管理する。
【００１７】
記録チャンネル用ＡＰＣ回路１０２は、ＬＤの出力パワーが一定に維持されるようにＦＰＤと電流／電圧（Ｉ／Ｖ）増幅部１０６とを通じてフィードバックされるＬＤの出力パワーの電圧と、ＤＡＣ１０４のＤＡ２チャンネルを通じて提供される電圧とを利用してＬＤドライバ１０５に印加されるＷＰＤＣのレベルを調整しつつＦＰＤＯ＿ＳＨを制御部１０１に提供する。Ｉ／Ｖ増幅部１０６は印加されるＦＰＤの出力信号を所定値に増幅し、増幅されたＦＰＤの出力を電圧値に出力する。
【００１８】
再生チャンネル用ＡＰＣ回路１０３は、ＬＤの出力パワーが一定に維持されるようにＦＰＤとＩ／Ｖ増幅部１０６とを通じてフィードバックされるＬＤの出力パワーの電圧と、ＤＡＣ１０４のＤＡ１チャンネルを通じて提供される電圧とを利用してＬＤドライバ１０５に印加されるＲＰＤＣレベルを調整する。
【００１９】
ＬＤドライバ１０５は４つの入力端を通じて各々入力される電圧を所定値に増幅する電圧増幅器ＡＭＰ１〜ＡＭＰ４とスイッチＳＷ１〜ＳＷ４及びトランジスタＱ１で構成されて、ＬＤを駆動させるための記録及び再生パワーを提供する。
【００２０】
すなわち、ディスク（図示せず）に１ピットを形成するためにＬＤに提供される記録パワーのレベルが図２（ａ）に示されたように、過駆動パワーレベル区間、ベースレベル区間及び再生レベル区間を含む３つの他の区間に区分される場合、ＬＤドライバ１０５のスイッチＳＷ３は、図２（ｂ）に示されたように、ＥＮＤＥＣ（ＥＮｃｏｄｅｒ＆ＤＥＣｏｄｅｒの略字；図示せず）から提供される過駆動パワーレベル区間制御信号によって動作する。スイッチＳＷ２、ＳＷ４は、図２（ｃ）に示されたようにＥＮＤＥＣから提供されるベースレベル区間制御信号により動作する。スイッチＳＷ１は図２（ｄ）に示されたように、制御部１０１から提供される再生チャンネルに対するイネーブル信号により動作する。
【００２１】
すなわち、過駆動パワーレベル区間で、ＬＤドライバ１０５のあらゆるスイッチＳＷ１〜ＳＷ４は、図２の（ｂ）、（ｃ）、（ｄ）のように提供される信号のレベルによってターンオンされる。ベースレベル区間でＬＤドライバ１０５のスイッチＳＷ３を除外した残りのチャンネルに対するスイッチＳＷ１、２、４が、図２の（ｂ）、（ｃ）、（ｄ）のように提供される各信号のレベルによってターンオンされる。再生レベル区間でＬＤドライバ１０５のスイッチＳＷ１だけが図２（ｂ）、（ｃ）、（ｄ）のように提供される各信号によってターンオンされる。
【００２２】
そして、スイッチＳＷ１〜ＳＷ４のオン／オフによって増幅器ＡＭＰ１〜ＡＭＰ４から伝送される電圧の和をトランジスタＱ１を通じてＬＤに供給してＬＤ駆動に必要な記録パワーを提供できるようになる。
【００２３】
このようにＷＰＤＣが非安定化状態である時、制御部１０１は４つのチャンネルＤＡ１、ＤＡ２、ＤＡ３、ＤＡ４を使用してＬＤを駆動させるための記録パワーをＬＤに提供させることによって、ＬＤの光出力状態は速く安定した状態に到達できる。
【００２４】
一方、制御部１０１は記録チャンネル用ＡＰＣ回路１０２から伝送されるＦＰＤＯ＿ＳＨにより記録チャンネル用ＡＰＣ回路１０２から出力されるＷＰＤＣが安定化状態に認識されれば、予想される記録パワー電圧の所定比率に該当する電圧が出力されないようにＤＡ４チャンネルをオフさせる。
【００２５】
この時、制御部１０１はＤＡＣ１０４のＤＡ４チャンネルが直ちにオフされるようにすることができるが、ＤＡ４チャンネルを通じて出力される電圧レベルは低め、ＤＡＣ１０４のＤＡ２チャンネルを通じて出力される電圧レベルは高めてＤＡ４チャンネルを通じて出力される電圧レベルを０Ｖに到達させてＤＡ４チャンネルがオフされるようにすることができる。
【００２６】
ＤＡ４チャンネルがオフされれば、ＤＡＣ１０４はＤＡ４チャンネルを通じてはいかなる信号も出力せず、ＤＡ１、ＤＡ２、ＤＡ３チャンネルを通じてのみ信号を出力する。
【００２７】
このようにＷＰＤＣが安定化状態である時、制御部１０１は３つのチャンネルＤＡ１、ＤＡ２、ＤＡ３を使用してＬＤを駆動させるための記録パワーをＬＤに提供する。したがって、ＬＤの光出力状態が安定化した後、残りの記録モードを行う区間中に不要なチャンネルＤＡ４が使われないようにＤＡ１〜ＤＡ４チャンネルを管理する。
【００２８】
図３は本発明による記録パワー制御方法のフローチャートである。図３を参照すれば、第３０１段階及び第３０１段階でＦＰＤＯ＿ＳＨ信号に基づいてＷＰＤＣが安定化状態であるかどうかをチェックする。第３０１段階はＬＤ光出力状態が安定しているかどうかをチェックする段階と同一である。第３０１段階は以前のＦＰＤＯ＿ＳＨ信号のレベルと現在ＦＰＤＯ＿ＳＨ信号のレベルとの間に差があるかどうかを決定する方式で行われる。
【００２９】
第３０２段階で以前のＦＰＤＯ＿ＳＨ信号と現在印加されたＦＰＤＯ＿ＳＨ信号とが相異なるものと決定されれば、ＷＰＤＣが非安定化状態であると判断し、ＷＰＤＣが安定しているかどうかをチェックするために第３０１段階を再び行う。
【００３０】
ＷＰＤＣが非安定化状態である時、前述した図１の制御部１０１で説明したように、早期にＬＤに提供される記録パワーの電圧レベルが安定化状態に到達できるようにＤＡ１ないしＤＡ３チャンネルだけでなくＤＡ４チャンネルの使用を許す。
【００３１】
しかし、第３０２段階でＷＰＤＣのレベルが安定化状態に到達したことと決定されれば、第３０３段階で現在ＤＡＣ１０４のＤＡ４チャンネルを通じて出力される電圧のレベルが０Ｖであるかどうかをチェックする。ＤＡ４チャンネルを通じて出力される電圧のレベルが０Ｖでなければ、第３０４段階でＤＡＣ１０４のＤＡ２チャンネルを通じて出力する電圧を高め、ＤＡＣ１０４のＤＡ４チャンネルを通じて出力する電圧を低めた後、第３０１段階を再び行う。この時、ＤＡ２チャンネルを通じて出力する電圧は、ＤＡ４チャンネルを通じて出力する電圧が低くなった分だけ増加しうる。例えば、ＤＡ２チャンネルを通じて出力する電圧が５％だけ増加した場合にＤＡ４チャンネルを通じて出力する電圧は５％だけ減らしうる。
【００３２】
前述したように、ＤＡ２チャンネル及びＤＡ４チャンネルを通じて出力される電圧を各々調整することによってＤＡ４チャンネルに対する電圧が０Ｖに到達すれば、ＷＰＤＣのレベルが非安定化状態である時に記録パワーを制御するために使われたチャンネル数４より少ないチャンネル数３で記録パワーを制御できるように、第３０５段階でＤＡ４チャンネルをターンオフする。
【００３３】
そして、第３０６段階で記録モードが終了したかどうかをチェックする。記録モードが終了したならば記録パワー制御作業を終了する。しかし、記録モードが終了していなければ、第３０７段階で記録モードを遂行し続ける。
【００３４】
これにより、ＬＤドライバ１０５は、ＥＮＤＥＣ（図示せず）及び制御部１０１から動作制御信号が図２の（ｂ）、（ｃ）、（ｄ）のように提供されても、ＤＡＣ１０４のＤＡ４チャンネルがターンオフされているため、ＬＤドライバ１０５内でのＤＡ４チャンネルへの伝送は無意味である。
【００３５】
このように、図４（ａ）に示されたように、記録モード制御信号がハイである時、図４（ｂ）に示されたように、初期記録モード遂行区間でＷＰＤＣによる記録パワーの電圧レベルが非安定化した状態を維持するとしても、チャンネルＤＡ４を通じて提供される記録パワーの電圧により図４（ｃ）に示されたように、ＬＤに提供される記録パワーの電圧レベルを速く安定化させる。
【００３６】
そして、ＬＤに提供される記録パワーの電圧レベルが安定化状態に到達すれば、ＤＡ２チャンネル及びＤＡ４チャンネルを通じて提供される記録パワーの電圧レベルを前述した第３０４段階のように調整する。その後、ＤＡ４チャンネルを通じて提供される記録パワーの電圧レベルが０ＶになればＤＡ４チャンネルをターンオフさせる。したがって、ＷＰＤＣだけでＬＤに提供される記録パワーの電圧レベルを安定化状態に維持させうる残りの記録モード遂行区間中にＤＡ４チャンネルをもう使用しない。
【００３７】
図５は本発明の他の実施例による記録パワー制御装置のブロック図である。図５を参照すれば、記録パワー制御装置はＬＤに記録パワーが提供されるように制御する制御部５０１、記録パワー電圧のＷＰＤＣを提供する記録チャンネル用ＡＰＣ回路５０２、再生パワー電圧のＲＰＤＣを提供する再生チャンネル用ＡＰＣ回路５０３、ＤＡＣ５０４、ＬＤを駆動するためのＬＤドライバ５０５、Ｉ／Ｖ増幅部５０６、加算器５０７、ディスク（図示せず）に光を放射するＬＤ、ＬＤから放射される光量をモニタリングするＦＰＤで構成される。
【００３８】
前記記録パワー制御装置は制御部５０１、記録チャンネル用ＡＰＣ回路５０２、再生チャンネル用ＡＰＣ回路５０３、ＤＡＣ５０４、Ｉ／Ｖ増幅部５０６及び加算器５０７を一つのチップで構成するか、または制御部５０１、記録チャンネル用ＡＰＣ回路５０２、再生チャンネル用ＡＰＣ回路５０３、ＤＡＣ５０４及び加算器５０７を一つのチップで構成することができる。また、前記加算器５０７は記録チャンネル用ＡＰＣ回路５０２に含まれるようにすることもある。そして、広義的に加算器５０７、記録チャンネル用ＡＰＣ回路５０２、Ｉ／Ｖ増幅部５０６、ＤＡＣ５０４及び制御部５０１で構成された装置を記録パワー提供装置といえる。狭議的に加算器５０７、記録チャンネル用ＡＰＣ回路５０２及び制御部５０１で構成された装置を記録パワー提供装置といえる。
【００３９】
図５に示されたＬＤ、ＦＰＤ、制御部５０１、記録チャンネル用ＡＰＣ回路５０２、再生チャンネル用ＡＰＣ回路５０３、ＤＡＣ５０４及びＩ／Ｖ増幅部５０６は、図１のＬＤ、ＦＰＤ、制御部１０１、記録チャンネル用ＡＰＣ回路１０２、再生チャンネル用ＡＰＣ回路１０３、ＤＡＣ１０４及びＩ／Ｖ増幅部１０６と同一に構成及び動作される。したがって、説明の重複を避けるためにこれらに関する動作は説明しない。
【００４０】
加算器５０７は、ＤＡＣ５０４のＤＡ４チャンネルを通じて出力される記録パワーの電圧と記録チャンネル用ＡＰＣ回路５０２から出力されるＷＰＤＣとを合わせたＷＰＤＣ’をＬＤドライバ５０５に出力する。すなわち、記録チャンネル用ＡＰＣ回路５０２から出力されるＷＰＤＣのレベルが非安定化状態である時にはＤＡＣ５０４のＤＡ１、ＤＡ２、ＤＡ３、ＤＡ４チャンネルを通じて電圧が出力されるように制御部５０１がＤＡＣ５０４のＤＡ１〜ＤＡ４チャンネルを管理する。したがって、加算器５０７は記録チャンネル用ＡＰＣ回路５０２から出力されるＷＰＤＣにＤＡＣ５０４のＤＡ４チャンネルを通じ出力される記録パワーの電圧を足したＷＰＤＣ’を出力する。しかし、記録チャンネル用ＡＰＣ回路５０２から出力されるＷＰＤＣのレベルが安定化状態であれば、ＤＡＣ５０４のＤＡ４チャンネルを通じて電圧が出力されないように制御部５０１がＤＡＣ５０４のＤＡ１ないしＤＡ４チャンネルを管理する。したがって、加算器５０７は記録チャンネル用ＡＰＣ回路５０２から出力されるＷＰＤＣをＷＰＤＣ’に出力する。ＷＰＤＣ’はＬＤドライバ５０５に伝送される。
【００４１】
ＬＤドライバ５０５は、図１のＬＤドライバ１０５とは違って、３つの入力端を通じて各々入力される電圧を所定値で増幅する増幅器ＡＭＰ１〜ＡＭＰ３とスイッチＳＷ１〜ＳＷ３及びトランジスタＱ１で構成されて、ＬＤを駆動させるための記録及び再生パワーを提供する。
【００４２】
すなわち、ＬＤに提供される記録パワーのレベルが過駆動パワーレベル区間、ベースレベル区間及び再生レベル区間を含む３つの他の区間に区分される場合、ディスク（図示せず）に１ピットを形成するために、ＬＤドライバ５０５のスイッチＳＷ３はＥＮＤＥＣ（図示せず）から提供される過駆動パワーレベル区間制御信号によって動作して、増幅器ＡＭＰ３から出力される記録パワーの電圧がスイッチＳＷ１に伝送される。スイッチＳＷ２が前記ＥＮＤＥＣから提供されるベースレベル区間制御信号により動作すれば、増幅器ＡＭＰ２から出力される記録パワーの電圧がスイッチＳＷ１に伝送される。スイッチＳＷ１が制御部５０１から提供される再生チャンネルに対するイネーブル信号により動作すれば、増幅器ＡＭＰ１〜ＡＭＰ３から出力される記録パワーの電圧がトランジスタＱ１のベース端に伝送される。
【００４３】
図６は図１及び図５に示された記録チャンネル用ＡＰＣ回路１０２、５０２の例である。図６を参照すれば、記録チャンネル用ＡＰＣ回路１０２及び５０２は、サンプリング及びホールド部６０１、演算増幅器（以下、ＯＰＡＭＰと略する）６０２、差動増幅器（以下、ＤＩＦＦ ＡＭＰと略する）６０３で構成される。
【００４４】
サンプリング及びホールド部６０１は、Ｉ／Ｖ増幅部１０６、５０６から出力される電圧の所定区間をサンプリング及びホールドしたＦＰＤＯ＿ＳＨ電圧を出力する。出力されたＦＰＤＯ＿ＳＨ電圧は制御部１０１、５０１及びＯＰＡＭＰ６０２に伝送される。
【００４５】
ＯＰ ＡＭＰ６０２は基準電圧Ｖｒｅｆを利用してサンプリング及びホールド部６０１から出力されたＦＰＤＯ＿ＳＨを所定値で増幅させてＤＩＦＦ ＡＭＰ６０３に出力する。ＤＩＦＦ ＡＭＰ６０３はＯＰ ＡＭＰ６０２から伝送された電圧とＤＡＣ１０４、５０４のＤＡ２チャンネルを通じて伝送される電圧との大きさを比較して差値を検出する。その後、ＤＩＦＦ ＡＭＰ６０３は検出された差値をＤＡ２チャンネルを通じて伝送される電圧に加算または減算した結果をＷＰＤＣとして出力する。すなわち、ＯＰ ＡＭＰ６０２から出力される電圧がＤＡ２チャンネルを通じて伝送される電圧より大きければ、ＤＡ２チャンネルを通じて伝送される電圧から検出された差値を減算した結果をＷＰＤＣとして出力する。一方、ＯＰ ＡＭＰ６０２から出力される電圧がＤＡ２チャンネルを通じて伝送される電圧より小さければ、ＤＩＦＦ ＡＭＰ６０３は検出された差値をＤＡ２チャンネルを通じて伝送される電圧に加算した結果をＷＰＤＣとして出力する。このようなＯＰ ＡＭＰ６０２とＤＩＦＦ ＡＭＰ６０３の動作によってＬＤの温度変化による記録パワーの変化を補償できる。
【００４６】
前述した実施例は１ピットに対する記録パワーを過駆動パワーレベル、ベースレベル及び再生レベルに区分して駆動される光駆動器の場合であるが、過駆動パワーレベル、消去レベル及び再生レベルに区分して駆動される光駆動器にも適用できる。
【００４７】
【発明の効果】
前述した本発明によれば、光駆動器においてエラー発生で記録が中断された位置で記録モードを遂行するか、または正常的な記録モードを行う場合に、ベースレベル区間（または消去レベル区間）で２チャンネルを利用して記録パワーの電圧レベルを制御することによって、ＬＤに提供される記録パワーのレベルを速く安定化状態に到達させ、前記記録パワーのレベルが安定化状態に到達すれば前記ベースレベル区間（または消去レベル区間）で１チャンネルを利用して前記記録パワーの電圧レベルを制御させることによって、記録モード遂行時に不要なチャンネルの使用を防止してファームウェアのサイズを縮められる。
【００４８】
また、ＬＤに提供される記録パワーの電圧が安定化状態を維持する記録モード遂行区間でＤＡ４チャンネルに設定されている電圧レベルより低い電圧の記録パワーを制御することが可能である。
【００４９】
そして、４チャンネル用ＬＤドライバだけでなく３チャンネル用ＬＤドライバにも本発明を適用できる。
本発明は前述した実施例に限定されず、本発明の思想内で当業者による変形が可能である。したがって、本発明で権利を請求する範囲は特許請求の範囲内で決まらねばならない。
【図面の簡単な説明】
【図１】  本発明の一実施例による記録パワー制御装置のブロック図である。
【図２】  図１に示されたＬＤドライバを駆動させるために使われる制御信号のタイミング図である。
【図３】  本発明による記録パワー制御方法のフローチャートである。
【図４】  本発明による記録モード制御信号と記録パワーレベルとの関係図である。
【図５】  本発明の他の実施例による記録パワー制御装置のブロック図である。
【図６】  図１及び図５に示された記録チャンネル用ＡＰＣ回路の例である。
【符号の説明】
１０１  制御部
１０２  記録チャンネル用ＡＰＣ回路
１０３  再生チャンネル用ＡＰＣ回路
１０４  デジタル／アナログ変換器（ＤＡＣ）
１０５  ＬＤドライバ
１０６  Ｉ／Ｖ増幅部
【図１】
0004149743.tif 000002
【図２】
0004149743.tif 000003
【図３】
0004149743.tif 000004
【図４】
0004149743.tif 000005
【図５】
0004149743.tif 000006
【図６】
0004149743.tif 000007